(57)【要約】【課題】容易かつシャッターチャンスを失することなく迅速に被写体の特定部分を撮影記録する。【解決手段】撮影したい時点でシャッターキーを押下して撮影操作を行うと（Ｕ１０２）、画像処理回路／ＣＰＵは、この撮影操作を検知して（Ｃ１０３）、画像撮影処理を実行し（Ｃ１０４）、画像ファイルを一次的にＲＡＭに格納する。次に、このＲＡＭ４２０に格納した画像ファイルに基づく撮影画像の輪郭を抽出する（Ｃ１０５）。さらに、この抽出した撮影画像の輪郭を予めＲＡＭに格納してある画像データを特定部分情報に基づく特定部分画像の輪郭とマッチングして、撮影画像中に特定部分画像が存在するか否かを判断する（Ｃ１０６）。特定部分画像が存在する場合には（Ｃ１０６；ＹＥＳ）、撮影画像において特定部分以外のエリア（部分）を消去する画像処理を実行し（Ｃ１０７）、記憶メディアに保存する。【選択図】        図３
2005020475.tif 000002
【特許請求の範囲】
【請求項１】
撮影操作に応答して被写体を撮影し撮影画像データを生成する撮影手段と、
この撮影手段により生成された撮影画像データに基づく画像の所定部分以外の部分を消去した処理済み画像データを生成する画像処理手段と、
この画像処理手段により生成された処理済み画像データを記録する記録手段と、
を備えることを特徴とするカメラ装置。
【請求項２】
前記特定部分又は特定部分以外の部分を予め設定する設定手段を更に備え、
前記画像処理手段は、前記設定手段により設定された特定部分以外の部分を消去して、前記処理済み画像データを生成することを特徴とする請求項１記載のカメラ装置。
【請求項３】
前記特定部分の実際の大きさを入力する入力手段と、
この入力手段により入力された前記特定部分の実際の大きさと撮影条件と基づき、撮影画像における前記特定部分の大きさを算出する算出手段と、
この算出手段により算出された前記撮影画像における前記特定部分の大きさに基づき、前記特定部分又は特定部分以外の部分を検出する検出手段とを更に備え、
前記画像処理手段は、前記検出手段による検出結果に基づき前記特定部分以外の部分を消去して、前記処理済み画像データを生成することを特徴とする請求項１記載のカメラ装置。
【請求項４】
前記算出手段は、前記撮影画像の拡大倍率と撮影時における被写体までの距離とを前記撮影条件として、前記撮影画像における特定部分の大きさを算出することを特徴とする請求項３記載のカメラ装置。
【請求項５】
所定の撮影制限時間帯であるか否かを判断する判断手段を更に備え、
前記画像処理手段は、前記判断手段が前記所定の撮影制限時間帯あると判断した場合において前記処理済み画像データを生成し、
前記記録手段は、前記判断手段が所定の撮影制限時間帯でない判断した場合には、前記撮影手段により生成された撮影画像データを記録することを特徴とする請求項１から４にいずれか記載のカメラ装置。
【請求項６】
撮影操作に応答して被写体を撮影し撮影画像データを生成する撮影工程と、
この撮影工程で生成された撮影画像データに基づく画像の所定部分以外の部分を消去した処理済み画像データを生成する画像処理工程と、
この画像処理工程により生成された処理済み画像データをメモリに記録する記録処理工程と
を含むことを特徴とする撮影・記録方法。
【請求項７】
カメラ装置が有するコンピュータを、
撮影操作に応答して被写体を撮影し得られた撮影画像データに基づく画像の所定部分以外の部分を消去し、処理済み画像データを生成する画像処理手段と、
この画像処理手段により生成された処理済み画像データをメモリに記録する記録処理手段と
して機能させることを特徴とするカメラ制御プログラム。
【請求項８】
カメラ装置と画像処理装置とで構成されるカメラシステムであって、
前記カメラ装置は、
撮影操作に応答して被写体を撮影し撮影画像データを生成する撮影手段と、
この撮影手段により生成された生成された前記撮影画像データを前記画像処理装置に送信するカメラ側送信手段と、
前記画像処理装置から送信される処理済み画像データを受信するカメラ側受信手段と、
このカメラ側受信手段により受信した前記処理済み画像データを記録する記録手段とを備え、
前記画像処理装置は、
前記カメラ側送信手段から送信される前記撮影画像データを受信する装置側受信手段と、
この装置側受信手段により受信した撮影画像データに基づく画像の所定部分以外の部分を消去した処理済み画像データを生成する画像処理手段と、
この画像処理手段により生成された前記処理済み画像データを前記カメラ装置に送信する装置側送信手段と
を備えることを特徴とするカメラシステム。
【請求項９】
前記カメラ装置は、所定の撮影制限時間帯であるか否かを判断する判断手段を更に備え、
前記カメラ側送信手段は、前記判断手段が前記所定の撮影制限時間帯であると判断した場合において前記撮影画像データを送信し、
前記記録手段は、前記判断手段が所定の撮影制限時間帯でないと判断した場合、前記撮影手段により生成された撮影画像データを記録することを特徴とする請求項１記載のカメラシステム。
【発明の詳細な説明】
【０００１】
【発明の属する技術分野】
【０００２】
本発明は、被写体の特定部分を撮影して記録するカメラ装置、撮影・記録方法、カメラ制御プログラム及びカメラシステムに関する。
【０００３】
【従来の技術】
【０００４】
従来、被写体の特定部分を撮影して記録するカメラ装置が提案されている。このカメラ装置は、撮影を開始すると、レンズから入力される画像をモニタに表示する。この状態で、枠表示／確定ボタンを操作すると、モニタに表示された被写体画像上に枠が表示される。そして、サイズ／位置切り替えボタン及びサイズ／位置変更ボタンを用いて枠のサイズ及び位置を変更し、枠表示／確定ボタンで枠を確定する。しかる後に、シャッターを押下すると、枠で囲まれた画像が画像圧縮回路に送られ、圧縮された画像データがフラッシュメモリに記録されるものである（例えば、特許文献１参照。）。
【０００５】
【特許文献１】
特開平１１−１０３４４２号公報
【０００６】
【発明が解決しようとする課題】
【０００７】
しかしながら、従来のカメラ装置にあっては、前述したように、シャッターを押下する前、すなわち撮影前に各種ボタンを操作して枠の位置や大きさを設定しなければならないことから、枠の位置や大きさの設定に手間取り、シャッターチャンスを失してしまう場合が生ずる。しかも、このボタン操作による枠の位置及び大きさの設定を撮影毎に行う必要があることから、操作が煩雑となる。
【０００８】
本発明は、かかる従来の課題に鑑みてなされたものであり、容易かつシャッターチャンスを失することなく迅速に被写体の特定部分を撮影記録することのできるカメラ装置、撮影・記録方法、カメラ制御プログラム及びカメラシステムを提供することを目的とするものである。
【０００９】
【課題を解決するための手段】
【００１０】
前記課題を解決するために請求項１記載の発明に係るカメラ装置は、撮影操作に応答して被写体を撮影し撮影画像データを生成する撮影手段と、この撮影手段により生成された撮影画像データに基づく画像の所定部分以外の部分を消去した処理済み画像データを生成する画像処理手段と、この画像処理手段により生成された処理済み画像データを記録する記録手段とを備える。
【００１１】
したがって、ユーザが撮影操作を行うと、被写体が撮影されて撮影画像データが生成され、しかる後に、生成された撮影画像データに基づく画像の所定部分以外の部分を消去した処理済み画像データが生成される。そして、最終的にこの画像の所定部分以外の部分を消去した処理済み画像データが記録される。よって、ユーザは撮影直前に操作を行う必要がなく、シャッターチャンスを失してしまうことがない。また、ユーザは単に撮影操作のみを行えば、カメラ内部で撮影画像データに基づく画像の所定部分以外の部分を消去した処理済み画像データを生成する処理が行われることから、煩雑な操作を伴うこともない。
【００１２】
また、請求項２記載の発明に係るカメラ装置は、前記特定部分又は特定部分以外の部分を予め設定する設定手段を更に備え、前記画像処理手段は、前記設定手段により設定された特定部分以外の部分を消去して、前記処理済み画像データを生成する。したがって、任意の部分を特定部分とする撮影画像データを記録することができる。
【００１３】
また、請求項３記載の発明に係るカメラ装置は、前記特定部分の実際の大きさを入力する入力手段と、この入力手段により入力された前記特定部分の実際の大きさと撮影条件と基づき、撮影画像における前記特定部分の大きさを算出する算出手段と、この算出手段により算出された前記撮影画像における前記特定部分の大きさに基づき、前記特定部分又は特定部分以外の部分を検出する検出手段とを更に備え、前記画像処理手段は、前記検出手段による検出結果に基づき前記特定部分以外の部分を消去して、前記処理済み画像データを生成する。
したがって、実際の被写体に対して、撮影記録すべき特定部分を正確に撮影画像データ中に残存させることができる。
【００１４】
また、請求項４記載の発明に係るカメラ装置は、前記算出手段は、前記撮影画像の拡大倍率と撮影時における被写体までの距離とを前記撮影条件として、前記撮影画像における特定部分の大きさを算出する。
【００１５】
また、請求項５記載の発明に係るカメラ装置は、所定の撮影制限時間帯であるか否かを判断する判断手段を更に備え、前記画像処理手段は、前記判断手段が前記所定の撮影制限時間帯あると判断した場合において前記処理済み画像データを生成し、前記記録手段は、前記判断手段が所定の撮影制限時間帯でない判断した場合には、前記撮影手段により生成された撮影画像データを記録する。
【００１６】
したがって、所定の撮影制限時間帯である場合には、撮影画像データに基づく画像の所定部分以外の部分を消去した処理済み画像データが記録されることとなり、撮影制限された所定部分以外の部分の画像データが記録されることとはない。しかし、所定の撮影制限時間帯でない場合には、撮影された被写体の撮影画像データがそのまま記録されることから、画像的に撮影制限を受けることがなく、撮影制限を受けない撮影画像の画像データを記録することができる。
【００１７】
また、請求項６記載の発明に係る撮影・記録方法は、撮影操作に応答して被写体を撮影し撮影画像データを生成する撮影工程と、この撮影工程で生成された撮影画像データに基づく画像の所定部分以外の部分を消去した処理済み画像データを生成する画像処理工程と、この画像処理工程により生成された処理済み画像データをメモリに記録する記録処理工程とを含む。
したがって、記載した工程に従って処理を実行することにより、請求項１記載の発明と同様の作用効果を奏する。
【００１８】
また、請求項７記載の発明に係るカメラ制御プログラムは、カメラ装置が有するコンピュータを、撮影操作に応答して被写体を撮影し得られた撮影画像データに基づく画像の所定部分以外の部分を消去し、処理済み画像データを生成する画像処理手段と、この画像処理手段により生成された処理済み画像データをメモリに記録する記録処理手段として機能させる。
したがって、前記コンピュータがこのプログラムに従って処理を実行することにより、請求項１記載の発明と同様の作用効果を奏する。
【００１９】
また、請求項８記載の発明に係るカメラシステムは、カメラ装置と画像処理装置とで構成されるカメラシステムであって、前記カメラ装置は、撮影操作に応答して被写体を撮影し撮影画像データを生成する撮影手段と、この撮影手段により生成された生成された前記撮影画像データを前記画像処理装置に送信するカメラ側送信手段と、前記画像処理装置から送信される処理済み画像データを受信するカメラ側受信手段と、このカメラ側受信手段により受信した前記処理済み画像データを記録する記録手段とを備え、前記画像処理装置は、前記カメラ側送信手段から送信される前記撮影画像データを受信する装置側受信手段と、この装置側受信手段により受信した撮影画像データに基づく画像の所定部分以外の部分を消去した処理済み画像データを生成する画像処理手段と、この画像処理手段により生成された前記処理済み画像データを前記カメラ装置に送信する装置側送信手段とを備える。
【００２０】
したがって、ユーザが撮影操作を行うと、被写体が撮影されて撮影画像データが生成されて、カメラ装置から画像処理装置に送信され、画像処理装置側で撮影画像データに基づく画像の所定部分以外の部分を消去した処理済み画像データを生成される。この処理済み画像データが画像処理装置からカメラ装置に送信され、最終的にこの画像の所定部分以外の部分を消去した処理済み画像データがカメラ装置に記録される。よって、ユーザは撮影直前に操作を行う必要が無く、シャッターチャンスを失してしまうことがない。
【００２１】
また、ユーザは単に撮影操作のみを行えば、画像処理装置で、撮影画像データに基づく画像の所定部分以外の部分を消去した処理済み画像データを生成する処理が行われた後、カメラ装置に送信されることから、煩雑な操作を伴うこともない。
【００２２】
また、請求項９記載の発明に係るカメラシステムは、前記カメラ装置は、所定の撮影制限時間帯であるか否かを判断する判断手段を更に備え、前記カメラ側送信手段は、前記判断手段が前記所定の撮影制限時間帯であると判断した場合において前記撮影画像データを送信し、前記記録手段は、前記判断手段が所定の撮影制限時間帯でないと判断した場合、前記撮影手段により生成された撮影画像データを記録する。
【００２３】
したがって、所定の撮影制限時間帯である場合には、撮影画像データに基づく画像の所定部分以外の部分を消去した処理済み画像データが記録されることとなり、撮影制限された所定部分以外の部分の画像データが記録されることとはない。しかし、所定の撮影制限時間帯でない場合には、撮影された被写体の撮影画像データがそのまま記録されることから、画像的に撮影制限を受けることがなく、撮影制限を受けない撮影画像の画像データを記録することができる。
【００２４】
【発明の実施の形態】
（第１の実施の形態）
以下、本発明の第１の実施の形態を図に従って説明する。図１（Ａ）に示すように、本実施の形態は、黒板１を有する教室２において、黒板１に相当する部分をを特定部分として、デジタルカメラ４で撮影する場合を想定している。デジタルカメラ４は、略直方体形状の本体４０１を有し、この本体４０１の前面には後述する光学レンズ４０７が配置されている。また、背面には液晶表示部４０２が配置され、上面にはシャッターキー４０５と各種メニューキー４０６が配設されている。
【００２５】
図２は、デジタルカメラ４の電気的な回路構成を示すブロック図である。このデジタルカメラは、前記本体４０１の前面に配置された光学レンズ４０７、この光学レンズ４０７により結像されるＣＣＤ等の撮影素子４０８と、撮影素子４０８を駆動するためのＴＧ４０９と、撮影素子４０８から出力された撮影信号を保持するＣＤＳ、その撮影信号を増幅するゲイン調整アンプ（ＡＧＣ）、増幅後の撮影信号をデジタル信号に変換するＡ／Ｄ変換器（ＡＤ）からなるユニット回路４１０を有している。そして、被写体の像が光学レンズ４０７を介して撮影素子４０８上に結像され、撮影素子４０８は信号を出力する。この撮影素子４０８から出力された信号は、ユニット回路４１０にて、サンプリング、増幅、デジタル化され、画像処理回路／ＣＰＵ４１１に送られて、この画像処理回路／ＣＰＵ４１１内で輝度に変換され、輝度の積分やヒストグラム処理が行われる。
【００２６】
前記光学レンズ４０７は、ＡＦモータ等を備えるレンズ駆動回路４１２に保持されており、レンズ駆動回路４１２が画像処理回路／ＣＰＵ４１１の制御により駆動されることにより光軸方向に移動し、撮影素子４０８に結像される被写体像のフォーカス、及び拡大倍率を調整する。また、ＡＥ制御時には、撮影素子４０８が、画像処理回路／ＣＰＵ４１１から送られるシャッターパルスに基づきＴＧ４０９によって駆動され、その電荷蓄積時間を制御される。これにより電子シャッターが実現される。
【００２７】
画像処理回路／ＣＰＵ４１１は各種の信号処理、及び画像処理機能を備えたものであり、ユニット回路４１０を経てデジタル信号に変換された撮影信号からビデオ信号を生成し、撮影素子４０８によって撮影した被写体像をスルー画像としてＴＦＴ液晶モニター等からなる前記液晶表示部４０２に表示させる。また、撮影時には、撮影信号を圧縮してＪＰＥＧフォーマットの画像ファイルを生成し、それを最終的にはフラッシュメモリ等からなる着脱自在な記憶メディア４１３に記憶させ、再生時には圧縮した画像ファイルを伸張して液晶表示部４０２に表示させる。なお、画像処理回路／ＣＰＵ４１１は、現在日時を計時する時計部４１４を備えており、記憶メディア４１３は着脱自在である。
【００２８】
さらに、画像処理回路／ＣＰＵ４１１には、前記シャッターキー４０５、メニューキー４０６等からなる操作キー部４１５、ＲＯＭ４１６、測距センサー４１７、方位センサー４１８、通信部４１９及びＲＡＭ４２０が接続されている。ＲＯＭ４１６は、画像処理回路／ＣＰＵ４１１による各部の制御及び各種データ処理に必要な動作プログラムが記録されているともに、後述するフローチャートに示す処理を実行するためのプログラムが記憶されている。
【００２９】
測距センサー４１７は、被写体までの距離を検出して画像処理回路／ＣＰＵ４１１に入力するものである。方位センサー４１８は、デジタルカメラ４における光学レンズ４０７の向き（方位）を検出して画像処理回路／ＣＰＵ４１１に入力するものである。ＲＡＭ４２０は、各種データの記憶や画像処理回路／ＣＰＵ４１１のワークエリアとして使用される。
なお、通信部４１９は、後述する第３の実施の形態において使用される。
【００３０】
以上の構成にかかる本実施の形態において、ユーザはこのデジタルカメラ４を教室２で使用するに際しては、特定部分となる黒板１部分を識別するための特定部分情報を設定しておく。この特定部分情報は、黒板１の輪郭形状や色を予めＲＡＭ４２０に記憶させることにより行われるが、この特定部分情報の記憶は、例えば授業開始前や放課後等において黒板１を撮影し、しかる後に各種メニューキー４０６を操作することにより、黒板１の画像データを特定部分情報としてＲＡＭ４２０に予め記憶させるようにすることが好ましい。あるいは、黒板１を撮影し、しかる後に各種メニューキー４０６を操作することにより、黒板１以外の部分を特定部分以外の部分情報としてＲＡＭ４２０に予め記憶させるようにしてもよい。
【００３１】
そして、このように特定部分情報あるいは特定部分以外の部分情報をＲＡＭ４２０に予め記憶させ状態でデジタルカメラ４を持って授業に臨み、図３のフローチャートに示すように、ユーザはデジタルカメラ４の電源を投入する（ステップＵ１０１）。すると、デジタルカメラ４は、画像処理回路／ＣＰＵ４１１が前記プログラムに基づき動作することにより、これを検知する（ステップＣ１０１）。引き続き、設定モード開始処理を行って（ステップＣ１０２）、撮影モードを設定する。この撮影モードの設定に伴い、撮影素子４０８によって撮影された被写体像がスルー画像として液晶表示部４０２に表示されることとなる。
【００３２】
したがって、ユーザはこの液晶表示部４０２に表示される被写体画像を視認しながら、撮影したい時点でシャッターキー４０５を押下して撮影操作を行う（ステップＵ１０２）。すると、画像処理回路／ＣＰＵ４１１は、この撮影操作を検知し（ステップＣ１０３）、画像撮影処理を実行する（ステップＣ１０４）。すなわち、ユニット回路４１０を経てデジタル信号に変換された撮影信号を圧縮してＪＰＥＧフォーマットの画像ファイルを生成し、この画像ファイルを一次的にＲＡＭ４２０に格納する。
【００３３】
次に、このＲＡＭ４２０に格納した画像ファイルに基づく撮影画像の輪郭を抽出する（ステップＣ１０５）。さらに、この抽出した撮影画像の輪郭を予めＲＡＭ４２０に格納してある前記黒板１の画像データを特定部分情報に基づく特定部分画像の輪郭とマッチングして、撮影画像中に特定部分画像が存在するか否かを判断する（ステップＣ１０６）。撮影画像中に特定部分画像が存在する場合には（ステップＣ１０６；ＹＥＳ）、撮影画像において特定部分以外のエリア（部分）を画像処理して消去（ブラックアウト）する画像処理を実行する（ステップＣ１０７）。
【００３４】
そして、最終的にこのステップＣ１０７での画像処理により得られた処理済み画像データを、記憶メディア４１３に保存する。したがって、記憶メディア４１３には、図１（Ｂ）に示すように、黒板１に対応する領域以外のエリア３が消去（ブラックアウト）された処理済み画像データ５が記憶メディア４１３に保存されることとなる。
【００３５】
なお、ステップＣ１０６での判断の結果、撮影画像中に特定部分画像が存在しない場合には（ステップＣ１０６；ＮＯ）、ステップＣ１０７の処理を実行することなく、ステップＣ１０８の処理を実行する。したがって、この場合には、撮影操作に伴ってＲＡＭ４２０に一次的に格納された画像ファイルがそのまま記憶メディア４１３に保存されることとなる。よって、黒板１以外を撮影した場合には、撮影した画像を支障なく記憶メディア４１３に記録することができる。
【００３６】
（第２の実施の形態）
【００３７】
第２の実施の形態においても、図１（Ａ）に示したと同様に、黒板１を有する教室２において黒板１に相当する部分をを特定部分としてデジタルカメラ４で撮影する場合を想定している。なお、デジタルカメラ４の構成は前述した第１の実施の形態と同様である。
【００３８】
以上の構成にかかる本実施の形態において、ユーザはこのデジタルカメラ４を教室２で使用するに際して、各種メニューキー４０６にて所定の操作を行うことにより、特定部分となる黒板１の実際の大きさを、横の長さと縦長さ（例えば横２ｍ×縦１ｍ）で入力しておく。この入力された特定部分の大きさは、ＲＡＭ４２０に記憶される。また、撮影制限時間帯（例えば、授業開始時刻から授業終了時刻まで）も入力して、ＲＡＭ４２０に記憶させておく。
【００３９】
そして、このように特定部分の実際の大きさ、及び撮影制限時間帯をＲＡＭ４２０に予め記憶させ状態でデジタルカメラ４を持って授業に臨み、図４のフローチャートに示すように、ユーザはデジタルカメラ４の電源を投入する（ステップＵ２０１）。すると、デジタルカメラ４は、画像処理回路／ＣＰＵ４１１が前記プログラムに基づき動作することにより、これを検知する（ステップＣ２０１）。引き続き、設定モード開始処理を行って（ステップＣ２０２）、撮影モードを設定する。この撮影モードの設定に伴い、撮影素子４０８によって撮影された被写体像がスルー画像として液晶表示部４０２に表示されることとなる。
【００４０】
したがって、ユーザはこの液晶表示部４０２に表示される被写体画像を視認しながら、撮影したい時点でシャッターキー４０５を押下して撮影操作を行う（ステップＵ２０２）。すると、画像処理回路／ＣＰＵ４１１は、この撮影操作を検知し（ステップＣ２０３）、画像撮影処理を実行する（ステップＣ２０４）。すなわち、ユニット回路４１０を経てデジタル信号に変換された撮影信号を圧縮してＪＰＥＧフォーマットの画像ファイルを生成し、この画像ファイルを一次的にＲＡＭ４２０に格納する。
【００４１】
次に、時計部４１４が計時している現在時刻を検出し（ステップＣ２０５）、この検出した現在時刻とＲＡＭ４２０に記憶されている撮影制限時間帯とを比較することにより、現時点が撮影制限時間帯であるか否かを判断する（ステップＣ２０６）。そして、現時点が撮影制限時間帯であるならば、方位センサー４１８からの出力に基づき、当該デジタルカメラ４の方向を検出する（ステップＣ２０７）。
【００４２】
さらに、測距センサー４１７からの出力に基づき、当該デジタルカメラ４から被写体（黒板１）までの距離を検出するとともに（ステップＣ２０８）、レンズ駆動回路４１２により駆動された光学レンズ４０７の位置に応じて変化している撮影画像の拡大倍率を検出する（ステップＣ２０９）。そして、この検出した距離と拡大倍率、及び前記ＲＡＭ４２０に格納されている黒板１の実際の大きさ（例えば横２ｍ×縦１ｍ）に基づき、撮影画像における特定部分（黒板１）の大きさ（例えば８００ドット×縦４００ドット）を算出する（ステップＣ２１０）。
【００４３】
次に、撮影画像においてこの算出した大きさの特定部分以外の部分をブラックアウト処理することにより、消去する画像処理を実行する（ステップＣ２１１）。そして、最終的にこのステップＣ２１１での画像処理により得られた処理済み画像データを、記憶メディア４１３に保存する（ステップＣ２１２）。したがって、記憶メディア４１３には、図１（Ｂ）に示した第１の実施の形態と同様に、黒板１に対応する領域以外のエリア３が消去（ブラックアウト）された処理済み画像データ５が記憶メディア４１３に保存されることとなる。
【００４４】
なお、ステップＣ２０６での判断の結果、撮影制限時間帯でない場合には（ステップＣ２０６；ＮＯ）、ステップＣ２０７〜Ｃ１１の処理を実行することなく、ステップＣ２１２の処理を実行する。したがって、この場合には、撮影操作に伴ってＲＡＭ４２０に一次的に格納された画像ファイルがそのまま記憶メディア４１３に保存されることとなる。よって、撮影制限時間帯以外で撮影を行った場合には、撮影した画像を支障なく記憶メディア４１３に記録することができる。
【００４５】
（第３の実施の形態）
【００４６】
図５は、本発明の第３の実施の形態にかかるカメラシステムを示すシステム構成図である。このカメラシステムは、相互に通信可能なデジタルカメラ４と画像処理装置６とで構成されており、画像処理装置６は教室２内において黒板１の近傍に配置されている。
【００４７】
図６は、画像処理装置６の電気的な回路構成を示すブロック図である。この画像処理装置６は、制御部６０１、ＲＯＭ６０２、ＲＡＭ６０３、通信部６０４、画像処理部６０５がシステムバス６０６により相互に接続されたシステムである。制御部６０１は、ＲＯＭ６０２に記憶され後述するフローチャートにより示されるプログラムに基づき動作し、各部を制御するものである。ＲＯＭ６０２には、前記プログラムが記憶されているとともに、特定部分となる黒板１の所定領域の画像情報、及び特定部分以外の消去すべき部分の画像情報が記憶されている。ＲＡＭ６０３は、制御部６０１のワークエリアとして使用され、通信部６０４は図２に示したデジタルカメラ４の通信部４１９と通信を行い、画像処理部６０５は後述する画像処理を行う。
なお、デジタルカメラ４は、図１に示した第１の実施の形態と同様の構成である。
【００４８】
以上の構成にかかる本実施の形態において、ユーザはこのデジタルカメラ４を教室２で使用するに際しては、前述した第２の実施の形態と同様に、撮影制限時間帯（例えば、授業開始時刻から授業終了時刻まで）も入力して、ＲＡＭ４２０に記憶させておく。
【００４９】
そして、このように撮影制限時間帯をＲＡＭ４２０に予め記憶させ状態でデジタルカメラ４を持って授業に臨み、図８のフローチャートに示すように、ユーザはデジタルカメラ４の電源を投入する（ステップＵ３０１）。すると、デジタルカメラ４は、画像処理回路／ＣＰＵ４１１が前記プログラムに基づき動作することにより、これを検知する（ステップＣ３０１）。引き続き、設定モード開始処理を行って（ステップＣ３０２）、撮影モードを設定する。この撮影モードの設定に伴い、撮影素子４０８によって撮影された被写体像がスルー画像として液晶表示部４０２に表示されることとなる。
【００５０】
したがって、ユーザはこの液晶表示部４０２に表示される被写体画像を視認しながら、撮影したい時点でシャッターキー４０５を押下して撮影操作を行う（ステップＵ３０２）。すると、画像処理回路／ＣＰＵ４１１は、この撮影操作を検知し、当該デジタルカメラ４に予め設定されているＩＤを画像処理装置６に送信する（ステップＣ３０３、図７（Ｂ））。すると、このＩＤを受信した画像処理装置６は、受信したＩＤに基づき撮影中のデジタルカメラ４を特定する（ステップＰ３０１）。
【００５１】
他方デジタルカメラ４は、画像撮影処理を実行する（ステップＣ３０４）。すなわち、ユニット回路４３０を経てデジタル信号に変換された撮影信号を圧縮してＪＰＥＧフォーマットの画像ファイルを生成し、この画像ファイルを一次的にＲＡＭ４２０に格納する。
【００５２】
次に、時計部４１４が計時している現在時刻を検出し（ステップＣ３０５）、この検出した現在時刻とＲＡＭ４２０に記憶されている撮影制限時間帯とを比較することにより、現時点が撮影制限時間帯であるか否かを判断する（ステップＣ３０６）。そして、現時点が撮影制限時間帯であるならば、撮影画像を画像処理装置６に送信する（ステップＣ３０７）。
【００５３】
画像処理装置６は、この送信されてきた撮影画像を受信し（ステップＰ３０２）、ブラックアウトエリアを検出する（ステップＰ３０３）。すなわち、予めＲＯＭ６０２に格納してある特定部分となる黒板１の所定領域の画像情報、及び特定部分以外の部分の画像情報と、受信した撮影画像とをマッチングして、撮影画像中におけるブラックアウトエリア（消去すべきエリア）を検出する（ステップＰ３０３）。引き続き、撮影画像において検出したブラックアウトエリアを消去する画像処理を実行し（ステップＰ３０４）、これによって得られた処理済み画像データを、デジタルカメラ４に送信する（ステップＰ３０４）。
【００５４】
すると、デジタルカメラ４は、この送信された処理済み画像データを受信して（ステップＣ３０８）、ＲＡＭ４２０に一次的に記憶し、このとき、ＲＡＭ４２０に記憶されている処理前の画像データ（撮影画像データ）を消去する（ステップＣ３０９）。しかる後に、ＲＡＭ４２０から処理済み画像データを記憶メディア４１３に転送して、該記憶メディア４１３に保存する。したがって、図７（Ｃ）に示すように、黒板１の所定領域１ａ以外のエリア３が消去（ブラックアウト）された処理済み画像データ５が記憶メディア４１３に保存されることとなる。
【００５５】
なお、ステップＣ３０６での判断の結果、撮影制限時間帯でない場合には（ステップＣ３０６；ＮＯ）、ステップＣ３０７〜Ｃ３０９の処理を実行することなく、ステップＣ３１０の処理を実行する。したがって、この場合には、撮影操作に伴ってＲＡＭ４２０に一次的に格納された画像ファイルがそのまま記憶メディア４１３に保存されることは、第２の実施の形態と同様である。
【００５６】
また、この第３の実施の形態においては、デジタルカメラ４とは別に画像処理装置６を設けるようにしたが、画像処理装置６をデジタルカメラ４に組み込んで同様の画像処理を実行させるようにしてもよい。これにより、デジタルカメラ４単体で前述した第３の実施の形態と同様の動作を行い得る。
さらに、各実施の形態においてはカメラ装置としてデジタルカメラ４を用いる場合を示したが、カメラ付き携帯電話やカメラ付きＰＤＡを用いるようにしてもよい。
【００５７】
【発明の効果】
【００５８】
以上説明したように本発明によれば、ユーザが撮影操作を行うと、被写体が撮影されて撮影画像データが生成され、しかる後に、生成された撮影画像データに基づく画像の所定部分以外の部分を消去した処理済み画像データが生成されることから、ユーザは撮影直前に操作を行う必要がなく、シャッターチャンスを失してしまう不都合を未然に防止することができる。
【００５９】
また、ユーザは単に撮影操作のみを行えば、カメラ内部あるいは画像処理装置との通信により、撮影画像データに基づく画像の所定部分以外の部分を消去した処理済み画像データを生成する処理が行われることから、煩雑な操作を伴うこともない。
よって、容易かつシャッターチャンスを失することなく、迅速に被写体の特定部分を撮影記録することが可能となる。
【図面の簡単な説明】
【図１】（Ａ）は本発明の第１及び第２の実施の形態における撮影状況を示す図、（Ｂ）は処理済み画像データを示す図である。
【図２】各実施の形態に共通するデジタルカメラの回路構成を示すブロック図である。
【図３】本発明の第１の実施の形態における処理手順を示すフローチャートである。
【図４】本発明の第２の実施の形態における処理手順を示すフローチャートである。
【図５】本発明の第３の実施の形態を示すシステム構成図である。
【図６】画像処理装置の回路構成を示すブロック図である。
【図７】（Ａ）は本発明の第３の実施の形態における撮影状況を示す図、（Ｂ）はデジタルカメラと画像処理装置の通信状態を示す図、（Ｃ）は処理済み画像データを示す図である。
【図８】本発明の第３の実施の形態における処理手順を示すフローチャートである。
【符号の説明】
４        デジタルカメラ
６        画像処理装置
４０１    本体
４０２    液晶表示部
４０５    シャッターキー
４０７    光学レンズ
４０８    撮影素子
４０９    ＴＧ
４１０    ユニット回路
４１１    画像処理回路／ＣＰＵ
４１２    レンズ駆動回路
４１３    記憶メディア
４１４    時計部
４１５    操作キー部
４１６    ＲＯＭ
４１７    測距センサー
４１９    通信部
４２０    ＲＡＭ
４３０    ユニット回路
６０１    制御部
６０２    ＲＯＭ
６０３    ＲＡＭ
６０４    通信部
６０５    画像処理部
６０６    システムバス
【図１】
2005020475.tif 000003
【図２】
2005020475.tif 000004
【図３】
2005020475.tif 000005
【図４】
2005020475.tif 000006
【図５】
2005020475.tif 000007
【図６】
2005020475.tif 000008
【図７】
2005020475.tif 000009
【図８】
2005020475.tif 000010